(57)【要約】【課題】開閉容易な構造を有し、アンテナ特性を安定化することが可能な折畳型の携帯通信端末を提供する。【解決手段】第１の筐体と第２の筐体を結合し、可動可能とするヒンジ部を有する携帯通信端末において、折畳み時に各筐体がオフセットされるように構成し、一方の筐体にアンテナを２個以上具備する。同一筐体内のアンテナは、１つがヒンジ部近傍に、別のアンテナがヒンジ部と反対側で且つ折畳み時に対向筐体のない部位に配置する。さらに、ヒンジ部近傍に設けたアンテナを筐体より突出するようにし、折畳み時に筐体が対向する面に対し垂直に投影して得られる最外形の範囲内に配置する。【選択図】  図３
2004153589.tif 000002
【特許請求の範囲】
【請求項１】
第１の筐体と第２の筐体を結合し、可動とするヒンジ部を有する折畳型の携帯通信端末において、
前記携帯通信端末を折畳んだときに、前記第１の筐体の端面と前記第２の筐体の端面の位置をずらすように構成し、
前記第１あるいは第２の筐体の一方にアンテナを複数備え、
前記複数のアンテナの少なくとも１つを前記ヒンジ部の近傍に配置し、他のアンテナを前記ヒンジ部と反対側の端面近傍であって、かつ折畳み時にもう一方の筐体によってアンテナの一部または全部が重ならない位置に配置することを特徴とする携帯通信端末。
【請求項２】
請求項１に記載の携帯通信端末において、前記第１の筐体に音声を出力するイヤレシーバを設け、前記第２の筐体に音声を入力するマイクを設け、前記第２の筐体が前記複数のアンテナを具備することを特徴とする携帯通信端末。
【請求項３】
請求項１に記載の携帯通信端末において、前記ヒンジ部近傍に設けられたアンテナは、前記アンテナを具備する筐体より突出するように配置することを特徴とする携帯通信端末。
【請求項４】
請求項１ないし３のいずれかに記載の携帯通信端末において、前記ヒンジ部近傍に設けられたアンテナが、前記アンテナを具備する筐体より引き出して保持可能な構成であることを特徴とする携帯通信端末。
【請求項５】
請求項３に記載の携帯通信端末において、前記ヒンジ部近傍に設けられたアンテナは、前記携帯通信端末を折畳んだときに、前記ヒンジ部よりも突出しない範囲内に位置することを特徴とする携帯通信端末。
【請求項６】
請求項４に記載の携帯通信端末において、前記ヒンジ部近傍に設けられたアンテナは、前記アンテナを具備する筐体に一部収納されている状態で、前記ヒンジ部よりも突出しない範囲内に位置することを特徴とする携帯通信端末。
【請求項７】
第１の筐体と第２の筐体を結合し、可動とするヒンジ部を有する折畳型の携帯通信端末において、
前記携帯通信端末を折畳んだときに、前記第１の筐体の端面と前記第２の筐体の端面の位置をずらすように構成し、
前記第１あるいは第２の筐体それぞれにアンテナを備え、折畳み時にもう一方の筐体によってアンテナの一部または全部が重ならない位置に、前記第１および前記第２の筐体に備えたアンテナのうちの少なくとも１つを配置することを特徴とする携帯通信端末。
【請求項８】
請求項７に記載の携帯通信端末において、前記アンテナの少なくとも一つは受信専用アンテナであることを特徴とする携帯通信端末。
【請求項９】
請求項８に記載の携帯通信端末は、前記第１に表示部を備え、前記受信専用のアンテナを前記第１の筐体に設けることを特徴とする携帯通信端末。
【発明の詳細な説明】
【０００１】
【発明の属する技術分野】
本発明は、複数のアンテナを備えた携帯電話機やＰＤＡなど携帯通信端末に関する。
【０００２】
【従来の技術】
携帯通信端末において、端末の保持状況に関わらずアンテナ特性を安定化する技術が提案されている（例えば、特許文献１参照）。
【０００３】
【特許文献１】
特開平１１−２７４９６６
【０００４】
【発明が解決しようとする課題】
上記公報には、アンテナ特性を安定化するために、棒状アンテナに追加して、内蔵アンテナを配置することにより、無線通話時に使用者が左右いずれかの手で携帯無線端末装置を使用しても、無線周波数の受信状態に応じて、前記棒状アンテナ又は内蔵アンテナを自動切り替えを行うことが記載されている。
【０００５】
このように、複数のアンテナを備える場合、アンテナ同士が干渉することがあるため、その配置を考慮しなければならない。特に、折畳み型の携帯通信端末では、端末を閉じた（折畳んだ）場合と開いた場合でアンテナ同士の位置関係が変化しうるため、複数のアンテナをいかに配置するかが、アンテナ特性に影響を与えることになる。しかし、従来の技術では、折畳み可能な形状を有する携帯通信端末に適した構成について何ら示されていない。
【０００６】
そこで、本発明の目的は、開閉容易な構造を有し、アンテナ特性を安定化することが可能な折畳型の携帯通信端末を提供することにある。
【０００７】
【課題を解決するための手段】
上記課題は以下に示す本発明の構成により解決できる。すなわち、本発明にかかる携帯通信端末は、第１の筐体と第２の筐体を結合し、可動するヒンジ部を有し、前記ヒンジ部の回転軸とほぼ平行となる各筐体の端面位置が折畳み時に同一面にならないように、端面をずらして（オフセットして）構成する。そして、上記筐体の一方にアンテナを２個以上具備し、前記アンテナの少なくとも１つが筐体のヒンジ部近傍に、別のアンテナが筐体のヒンジ部と反対側で且つ折畳み時にもう一方の筐体が対向しない部位近傍に配置する。または、上記筐体の各々にアンテナを具備し、前記アンテナの少なくとも１つが折畳み時に対向する筐体のない部位近傍に配置する。
【０００８】
【発明の実施の形態】
本発明の実施形態を、図を用いながら詳しく説明する。なお、本実施形態では、携帯通信端末として折畳み型の携帯電話を例に挙げて説明する。
【０００９】
図１は、本発明の第１の実施形態を示す携帯通信端末の構成図である。端末は、第１の筐体（以下、筐体１）と第２の筐体（筐体２）を有しており、ヒンジ部３により各筐体を結合し、互いに可動となるようにしている。筐体１は、音声を出力するイヤレシーバ１１、通信状況や通信内容等を表示する表示部１２を有する。筐体２は、端末への操作入力を行う操作部２１、音声の入力を行うマイク２２を有する。
【００１０】
まず、筐体の位置関係について説明する。同図（Ａ）は操作する場合の端末正面図、（Ｂ）は同側面図、（Ｃ）は折畳み時の側面図である。（Ｃ）を見て明らかなように、本実施形態における各筐体は、ヒンジ部の回転軸とほぼ平行となる各筐体の端面位置が折畳み時に同一面にならないように、端面をずらす（オフセットする）ように構成する。これにより、開閉動作の際に一方の筐体に力を掛け易くなり、操作性が向上する。
【００１１】
次に、アンテナの位置関係について説明する。筐体２は、図１に示す通り第１のアンテナ（アンテナ４）および第２のアンテナ（アンテナ５）を備える。アンテナ４はヒンジ部３近傍に位置し、アンテナ５は筐体のヒンジ部と反対側に配置する。複数のアンテナをそれぞれ筐体の端に配置することにより、端末を使用者が保持する状態においても、全てのアンテナが遮蔽される確率を低減でき、アンテナ特性の安定化を図ることができる。また、一方の筐体に複数のアンテナを具備することで、アンテナの相互位置関係が筐体の開閉に関係無く固定されるので、アンテナ特性が安定する。また、アンテナ５は、携帯電話を折畳んだ時にもアンテナ５の一部または全部が筐体１が対向しない部位（筐体１によって隠されない位置）近傍に配置する。これにより、対向する筐体による電波遮蔽を回避し、折畳み時におけるアンテナ特性が良好に保たれる。なお、本実施形態ではアンテナを筐体２側に設けているが、筐体１側に適用した場合も同様の効果が得られる。
【００１２】
これらアンテナと、携帯通信端末の内部回路との関係を図２に示す。アンテナ４およびアンテナ５は、無線周波数における受信および送信処理を行う無線部６と接続する。無線部６は、信号処理部７と接続する。信号処理部７は、受信信号を音声信号やデータに変換処理したり、入力音声やデータを送信信号に変換したりする。信号処理部７より出力された音声信号はイヤレシーバ１１より出力され、マイク２２より入力された音声信号は、信号処理部７より送信信号に変換される。制御部８は無線部６および信号処理部７を制御する。端末使用者からの操作・指示は、操作部２１より入力され、制御部８で所望の処理を行う。通信状態や通信内容等は表示部１２に表示されるよう制御部８が制御する。これらの構成は、携帯電話に限定されるものではなく、通信機能を有する通信端末においても同様である。また、無線部６や信号処理部７の機能は、特定の通信方式に限定されない。
【００１３】
図３は、本発明の第２の実施形態を示す携帯通信端末の構成図である。本実施形態は、第１の実施形態におけるアンテナ４を筐体２より突出するように構成したものである。ヒンジ部近傍に設けたアンテナ４を筐体より突出するように配置することにより、筐体２からアンテナ４の位置が離れ、アンテナの指向性等の性能が改善される。また、アンテナ４の突出部分は、図３（Ｃ）および（Ｄ）に示すように、折畳み時に筐体が対向する面に対し垂直に投影して得られる最外形の範囲内に配置する。すなわち、図３の場合はヒンジ部３よりも突出しないように筐体４に保持される。これにより、端末をカバン等に収納する際に引っかかったりすることが防止でき、携帯性が向上する。また、突起部を少なくすることで、意匠の面でも向上を図ることができる。
【００１４】
図４は、本発明の第３の実施形態を示す携帯通信端末の構成図である。本実施形態は、第２の実施形態におけるアンテナ４を筐体２より引き出し可能に構成したものである。アンテナ４を引き出し可能とすることにより、必要に応じてアンテナを筐体よりも大きく突出させることができる。これにより、アンテナ特性の一層の向上が図られる。また、アンテナ４は筐体２に収納時に、第２の実施形態と同様に、折畳み時に筐体が対向する面に対し垂直に投影して得られる最外形の範囲内に配置されている。これにより、端末をカバン等に収納する際に引っかかったりすることを防止でき、携帯性が向上する。また、突起部を少なくすることで、意匠の面でも向上が図られる。
【００１５】
図５は、本発明の第４の実施形態を示す携帯通信端末の構成図である。上記実施形態において、アンテナを一方の筐体にのみに設けていたが、本実施形態では各筐体各々にアンテナを設けた例である。図５に示すように、アンテナ４は表示部１２を具備する筐体１側に配置されている。このように、各筐体にアンテナを設けることにより、特に画面を見ながら使用者が操作する場面において、各アンテナの位置が離れる。このことにより、アンテナ間の干渉を抑制し、アンテナ特性が向上する。
【００１６】
特に、図５（Ｂ）に示すように、ヒンジ部３と反対側の筐体端面にそれぞれアンテナを設けることにより、携帯通信端末を開いて使用する場合のアンテナ特性を向上することができる。しかし、この場合、携帯通信端末を折畳んだときには、アンテナ２およびアンテナ５の位置は端末を開いた状態に比べて近接するため、両アンテナが干渉、あるいは一方のアンテナが電波を吸収してしまうという問題がある。これに対して、本願発明は、両アンテナの偏波面を直交関係にする等により、干渉の最小化を図ることが出きる。また、図５（Ｃ）に示すように、携帯通信端末を折畳んだときに、アンテナ４，５が重ならないように配置することにより、電波吸収を防止し、アンテナ特性を向上することができる。
【００１７】
また、アンテナ４を例えばＧＰＳ衛星からの信号受信専用アンテナとした場合を考えると、一般にＧＰＳの機能を利用する場合、使用者は画面を見ながら端末を操作するので、人体から離れて遮蔽物の影響の少ない筐体１側に配置すると、アンテナ特性が向上する。
【００１８】
以上の実施形態では、図１等に示したように、筐体１、２とは別にヒンジ部３を備える場合を例にとって説明したが、筐体１、２の一部にそれぞれヒンジ構造を設け、これらを組み合せることによりヒンジ部を構成しても良い。この構成によれば、部品点数を減少することができるため、組み立てコスト、時間を抑制することができる。
【００１９】
以上説明したように、本実施形態によれば、折畳み型の携帯通信端末において、折畳み時に各筐体がオフセットされるように構成されるので開閉動作が容易である。また、一方の筐体にアンテナを２個以上具し、１つをヒンジ部近傍に、別のアンテナをヒンジ部と反対側に配置することにより、端末を使用者が保持する状態においても、全てのアンテナが遮蔽される確率を低減でき、アンテナ特性の安定化が図られる。
【００２０】
また、ヒンジ部と反対側に配置したアンテナを折畳み時に対向筐体のない部位に配置することにより、対向する筐体による遮蔽を回避し、折畳み時におけるアンテナ特性が良好に保たれる。また、ヒンジ部近傍に設けたアンテナを筐体より突出するように配置することにより、筐体からアンテナ位置が離れることによりアンテナの指向性が改善され、アンテナ特性の向上が図られる。また、ヒンジ部近傍に設けたアンテナを筐体より引き伸ばし可能とすることで、さらにアンテナ特性が向上することができる。このヒンジ部近傍に設けたアンテナを、折畳み時に筐体が対向する面に対し垂直に投影して得られる最外形の範囲内に配置することにより、携帯性および意匠の向上が得られる。
【００２１】
以上の実施形態では、折畳み型の携帯電話を例に説明したが、同様の機能を有する通信端末に本発明を適用した場合においてもここに示した同様の効果が得られる。
【００２２】
【発明の効果】
本発明によれば、開閉容易な構造を有し、アンテナ特性を安定化することが可能な折畳型の携帯通信端末を提供することができる。
【図面の簡単な説明】
【図１】第１の実施形態を示す構成図
【図２】第１の実施形態における内部回路の一例を示す機能ブロック図
【図３】第２の実施形態を示す構成図
【図４】第３の実施形態を示す構成図
【図５】第４の実施形態を示す構成図
【符号の説明】
１…第１の筐体、２…第２の筐体、３…ヒンジ部、４…第１のアンテナ、５…第２のアンテナ、６…無線部、７…信号処理部、８…制御部、１１…イヤレシーバ、１２…表示部、２１…操作部、２２…マイク
【図１】
2004153589.tif 000003
【図２】
2004153589.tif 000004
【図３】
2004153589.tif 000005
【図４】
2004153589.tif 000006
【図５】
2004153589.tif 000007